(57)【特許請求の範囲】
【請求項１】
通風路に設けられた回動可能なダンパーの開度調節により換気風量が可変に構成され、そのダンパーの閉止状態での微小な開度を設定する閉止開度設定手段を備えた換気装置であって、その閉止開度設定手段を、前記通風路の構造側に装着されるホルダーと、このホルダーに嵌め合わされる軸部を備えたレバーとから構成し、このレバーの前記軸部にはリード付きの溝を設け、前記ホルダーには前記溝が係合する突部を設け、前記レバーの回動により前記溝のリードに応じて前記軸部の前記ダンパーへの当り位置が、同レバーのホルダーに対する軸方向への変位で段階的に変化し、その位置が同レバーの回動により段階ごとに位置決めされる構成とした換気装置。
【発明の詳細な説明】
【０００１】
【発明の属する技術分野】
本発明は、ダクトを介して室内の空気を排気する換気装置に関するものであり、特に湿気を含んだ空気を排気する風量可変の換気装置に関するものである。
【０００２】
【従来の技術】
通常の住宅では建物自体にある程度の隙間が存在するため、住宅の換気については排気を主体に考えればよく、極一般に行なわれているように空気の汚濁しやすい台所やトイレや浴室などの部屋にそれぞれ排気用換気扇を設置する仕方で対応することができる。勿論、特定の部屋について特開昭６０―６２５４０号公報に示されているように給気についても配慮し、給排気全体として快適な換気環境を形成する換気装置もある。
【０００３】
しかしながら快適性の向上や省エネルギーの追求から、近年において急速に発展してきた高気密で高断熱の住宅では、上記したような排気中心の単純な換気や、個別の部屋についての換気では快適な換気環境は得られない。こうした住宅では住宅全体をサニタリーゾーン等に設置した換気装置で行なうような快適な換気環境を形成するためのいくつかの試みがなされている。例えば実開平３―１０７６３８号公報には、住宅全体における排気を浴室やトイレから行ない、住宅における給気を居間などから行なうような換気システムが示されている。即ち、住宅全体において空気の汚れにくいゾーンから汚れ易いゾーンへと空気の流れを形成し、住宅全体の換気を行なう仕方である。
【０００４】
このような換気システムの中核を構成する換気装置は、多くが制御手段によりダンパーの開度を変え必要な処理風量が得られるようになっているが、高気密住宅への適用ではダンパーの閉止位置でも通風路を最低限開けておく必要がある。ダンパーを全閉でなく隙間をもって閉止させる閉止開度設定手段としては、従来においては例えば、図１３や図１４に示すようなものが採用されている。前者は、ワッシャ４０を嵌めた調整ネジ４１によりダンパー４２への調整ネジ４１端の当り位置を調節するものであり、ワッシャ４０の枚数の調整によりダンパー４２の閉止位置を調節できるようになっている。後者は、ダンパー４２をギヤードモーター４３により駆動させ、ギヤードモーター４３の制御によりダンパー４２の閉止開度が設定されている。
【０００５】
【発明が解決しようとする課題】
上記のような換気風量が可変の換気装置において、ダンパー４２の閉止開度設定手段が調整ネジ４１及びワッシャ４０によるものでは、通気面積を変更する場合、調整ネジ４１を一旦外し、ワッシャ４０の枚数を調整してねじ締めし直さなくてはならず、ダクトが接続された状態では、調整ネジ４１を外すのもねじ締めするのも、困難で手間のかかるものである。また、調整ネジ４１を締め過ぎると、ワッシャ４０が撓み所期の閉止開度に設定できないといった問題点もある。一方、ギヤードモーター４３によるものでは、設定した閉止開度にダンパー４２を、ギヤードモーター４３を通電状態において維持させるため、消費電力が嵩むといった問題点がある。
【０００６】
また、こうした換気装置は浴室、洗面所、トイレといったサニタリーゾーンに設置されることが多く、高湿度雰囲気に直接さらされるため送風機のモーター外殻に防錆処理をしたり、外殻の接合面を気密性の高い接合構造にしなくてはならず、コストの上昇を招いている。そして、送風機を風量制御するため、風量変化時のモーターの振動を回避する必要があり、通常、モーターの取付フランジを防振材を介して本体箱体に取付けているが、防振効果が薄く本体箱体にモーターの振動が伝播し、振動音や騒音の問題が生起することが多いといった問題点もある。
【０００７】
本発明は、上記した従来の問題点を解消するためになされたもので、その課題とするところは、操作性の良いダンパーの閉止開度設定手段を備えた換気装置を得ることであり、操作性が良く電力消費のないダンパーの閉止開度設定手段を備えた換気装置を得ることであり、振動及び騒音の低減と耐湿性に優れた送風機を備えた換気装置を得ることである。
【０００８】
【課題を解決するための手段】
前記課題を達成するために請求項１の発明は、通風路に設けられた回動可能なダンパーの開度調節により換気風量が可変に構成され、そのダンパーの閉止状態での微小な開度を設定する閉止開度設定手段を備えた換気装置について、その閉止開度設定手段を、通風路の構造側に装着されるホルダーと、このホルダーに嵌め合わされる軸部を備えたレバーとから構成し、このレバーの軸部にはリード付きの溝を設け、ホルダーには溝が係合する突部を設け、レバーの回動により溝のリードに応じてその軸部のダンパーへの当り位置が、レバーのホルダーに対する軸方向への変位で段階的に変化し、その位置がレバーの回動により段階ごとに位置決めされる構成とする手段を採用する。
【００１４】
【発明の実施の形態】
以下に本発明の実施の形態を図面に基づいて説明する。
実施の形態１
図１〜図６によって示す実施の形態１は、トイレや浴室や洗面所等のサニタリーゾーンから排気して住居の換気を行なう主として高気密住宅に適用される換気装置に関するものである。換気装置は、六面体状に構成された本体箱体１内の通風路に送風機２が組込まれてなる。送風機２は本体箱体１の天板部中央に装着されたブラシレスモーター３と、このブラシレスモーター３の本体箱体１内に突入させた回転軸に装着された羽根車４と、羽根車４を回転可能に囲む羽根ケーシング５とから構成されている（図１，２参照）。本体箱体１の四周側にはそれぞれ本体箱体１内の通風路に連絡する通風路６を有するダクト接続枠７が四方向に装着されている。ダクト接続枠７の一つは排気用として送風機２の吹出口が臨まされ、ダクト８を介して屋外へ連絡される。他の三つのダクト接続枠７は、吸気用として送風機２の吸込口に臨まされ、ダクト８を介してそれぞれ各部屋に連絡される。吸気用の各ダクト接続枠７には通風路６の通気面積を回動により可変する電動ダンパー９が装着されている。吸気用の各ダクト接続枠７のダクト接続口１０に続く段差部には電動ダンパー９の閉止状態での微小な開度を設定する閉止開度設定手段１１がそれぞれ一つずつ設けられている。
【００１５】
閉止開度設定手段１１は、図３に示すように段差部にネジにより取付けられる樹脂製のホルダー１２と、ホルダー１２に嵌め合わされる軸部１３を備えた樹脂製のレバー１４とから構成されている。ホルダー１２には段差部に設けられた抜き孔に連通する筒部１５を備え、筒部１５の内壁面にはリード付の突条１６が形成されている。ホルダー１２の筒部１５に挿通されるレバー１４の軸部１３は、ホルダー１２の筒部１５より長く形成され、その大径に形成された基部１７には、ホルダー１２の突条１６に係合するリード付の条溝１８が設けられている。ホルダー１２に係合させたレバー１４を回動することにより、リード付の突条１６とリード付きの条溝１８との嵌め合いによってリード分ずつ軸部１３が通風路６内に突出あるいは後退し、電動ダンパー９への当り位置が変位する。
【００１６】
これにより、電動ダンパー９の閉止開度を設定することができる。レバー１４の回動範囲はダクト接続口１０に当るため１８０度以内に設定されている。この閉止開度設定手段１１では、図４に示すようにレバー１４の回動角度に応じて軸部１３の軸方向の変位量は直線的に変化し、電動ダンパー９の閉止開度を微妙に設定することも可能である。なお、突条１６と条溝１８は反対に構成してもよく、突条１６についてはリードのない単なる突起として構成することもできる。
【００１７】
閉止開度設定手段１１としては、図５に示すようにレバー１４の軸部１３の基部１７に、軸方向溝１９とこれに連続する数段の周方向溝２０を形成し、ホルダー１２の筒部１５の内壁に軸方向溝１９及び周方向溝２０に係合する突起２１を設けた構成とすることもできる。この閉止開度設定手段１１によれば、レバー１４を軸方向溝１９に突起２１が係合した状態で押し込み、又は引き出せば軸部１３が軸方向に突出又は後退し、電動ダンパー９との当り位置が変位する。そしてその位置でレバー１４を回動させることにより段階ごとに電動ダンパー９への当り位置が位置決めされることになる。この閉止開度設定手段１１では、図６に示すようにレバー１４の回動角度に応じて軸部１３の軸方向の変位量は段階的に変化し、電動ダンパー９の閉止開度を段階的に設定することが可能である。なお、レバー１４にはホルダー１２に設けられた柱状突起２２に当りレバー１４の固定を行なう段階ごとの切欠２３が形成され、レバー１４の位置でどの段階にあるのかが分るように構成されている。このように、この換気装置では、レバー１４を回動するだけの操作で電動ダンパー９の閉止開度の設定ができ、操作性が良く電力消費も抑えることができる。
【００１８】
実施の形態２．
図７〜図１２によって示すこの実施の形態２は、実施の形態１で示した換気装置における送風機２のブラシレスモーター３に防振と防湿に関する工夫を講じたものであり、それに係る構成以外は実施の形態１で示したものと同じである。従って、実施の形態１と同じ部分については実施の形態１のものと同じ符号を用い、それらについての説明は省略する。
【００１９】
送風機２のブラシレスモーター３は、位相制御等により設定の風量が得られるように制御され、風量変化時のブラシレスモーター３の振動やそれに伴う振動音が使用感を損なうことになり勝ちである。また、浴室とか洗面所といったサニタリーゾーンに設置されることが多いこの種の換気装置では、高湿度雰囲気に直接晒されるブラシレスモーター３の通風路側に臨む箇所についての防湿対策も必要である。この実施の形態２は、こうした送風機２のブラシレスモーター３に拘る技術的テーマを克服しようとするものである。
【００２０】
この実施の形態２の換気装置では、送風機２のブラシレスモーター３は、その回転軸を除く全体が二分割構成のケース２４内に防振部材２５のみを介して保持され、ケース２４によって本体箱体１の天板部にネジ固定されている。ケース２４はフランジ接合されるカップ状の風路側ケース２６と外部側ケース２７とからなり、風路側ケース２６と外部側ケース２７のフランジ接合により中空の筒体となる（図７参照）。風路側ケース２６にはその内側面の中央にブラシレスモーター３の回転軸を挿通させる軸挿通孔２８が開設され、この軸挿通孔２８を囲むように筒状の防振部材保持部２９が内部側に形成されている。外部側ケース２７にはその内側面の中央に風路側ケース２６の防振部材保持部２９に対向する筒状の防振部材保持部２９が形成されている。各防振部材保持部２９の内壁面と内側面には凹凸３０が、内壁面側と内側面側とでは千鳥配列となるように形成されている（図８参照）。これらの防振部材保持部２９内にゴム等よりなる防振部材２５が嵌装され、風路側ケース２６と外部側ケース２７のフランジ接合により、ブラシレスモーター３がその軸受部において各防振部材２５の端面によって挟持される構成である。ケース２４に収められたブラシレスモーター３は、各防振部材２５のみによって支持され、ケース２４の内面とは接触していない。
【００２１】
ブラシレスモーター３を収めたケース２４は、本体箱体１の天板部に開設した取付孔に本体箱体１の内側から外部側ケース２７を挿通し、フランジ３１においてねじ締めすることにより取付けられる。この構成により、ブラシレスモーター３の振動は、防振部材２５に吸収され、本体箱体１には殆ど伝達しなくなる。特に、防振部材保持部２９の内壁面と内側面には凹凸３０が千鳥に配設されているため、防振部材２５の振動を受けての弾性変形が許容され効果的に防振機能が果たされる。また、回転軸側からの湿気の侵入も凹凸３０が千鳥配列のため、ケース２４内への経路が分断され効果的に防止される。
【００２２】
メンテナンス上、ケース２４の接合面は通風路にあるが、ここからの湿気のケース２４内への侵入はあまり問題にならないが、高湿度雰囲気の浴室等に設置するものについては、図９，１０に示すようにケース２４の合わせ面３２を凹凸嵌合３３とし延面距離を長くして水密を図ればよい。また、軸挿通孔２８からの湿気のケース２４内への侵入についても、図１０，１１に示すように軸挿通孔２８の口縁に内向きの立上り３４を設け、防振部材２５に立上り３４の端部全周が当るようにすればほぼ完全に防止することができる。
【００２３】
ケース２４のブラシレスモーター３の電線３５の引出し口３６がケース２４内への湿度の侵入経路となることもあるため、ブラシレスモーター３の電線３５の引出し口３６は、図７に示すように通風路に臨まない外部側ケース２７に設けられている。そして万一、ケース２４内に湿気が侵入した場合を考慮して、湿気の排出口として図１２に示すように外部側ケース２７の周側にケース２４の内外を連絡するスリット３７が設けられている。この構成により、ブラシレスモーター３の振動音や騒音の低い清粛で、湿気による絶縁不良も殆ど起きない換気装置が得られる。
【００２４】
【発明の効果】
請求項１の発明によれば、操作性が良く電力消費もないダンパーの閉止開度設定を段階的に行なうことができる閉止開度設定手段を備えた換気装置が得られる。
【図面の簡単な説明】
【図１】  実施の形態１の換気装置を示す斜視図である。
【図２】  実施の形態１の換気装置の構成を示す平断面構成図である。
【図３】  実施の形態１の閉止開度設定手段を示す斜視図である。
【図４】  図３の閉止開度設定手段の機能を示す説明図である。
【図５】  実施の形態１の他の閉止開度設定手段を示す斜視図である。
【図６】  図５の閉止開度設定手段の機能を示す説明図である。
【図７】  実施の形態２の換気装置を示す断面構成図である。
【図８】  図７のＡ矢印部の拡大断面図である。
【図９】  実施の形態２の換気装置のケースの合わせ面の部分拡大断面図である。
【図１０】  実施の形態２の換気装置のケースの他の構成を示す部分拡大断面図である。
【図１１】  図１０のＢ矢印方向から防振部材を除いて示す平面図である。
【図１２】  実施の形態２の換気装置の他の外部側ケースを示す正面図である。
【図１３】  従来の換気装置の要部を示す構成図である。
【図１４】  従来の換気装置の要部を示す構成図である。
【符号の説明】
１  本体箱体、  ２  送風機、  ３  ブラシレスモーター、  ６  通風路、  ９  電動ダンパー、  １１  閉止開度設定手段、  １２  ホルダー、  １３  軸部、  １４  レバー、  １６  突条、  １８  条溝、  １９  軸方向溝、  ２０周方向溝、  ２１  突起、  ２４  ケース、  ２５  防振部材、  ３２  合わせ面、  ３３  凹凸嵌合、  ３４  立上り、  ３５  電線、  ３６  引出し口、
３７  スリット。
【図１】
0003783461.tif 000002
【図２】
0003783461.tif 000003
【図３】
0003783461.tif 000004
【図４】
0003783461.tif 000005
【図５】
0003783461.tif 000006
【図６】
0003783461.tif 000007
【図７】
0003783461.tif 000008
【図８】
0003783461.tif 000009
【図９】
0003783461.tif 000010
【図１０】
0003783461.tif 000011
【図１１】
0003783461.tif 000012
【図１２】
0003783461.tif 000013
【図１３】
0003783461.tif 000014
【図１４】
0003783461.tif 000015